(57)【特許請求の範囲】
【請求項１】
腕と足とを絡ませて抱きつくための抱き枕本体と、該抱き枕本体に連設された頭部を載置するための枕部とから構成され、
該枕部は、枕部側地と、該枕部側地に内包される中材とからなり、
該枕部側地は、中材の出し入れが可能な開閉部が設けられており、
中材は、複数のクッション体を積み重ねて構成されており、
枕部側地は、枕部を厚み方向に貫通する貫通孔が枕部の中央部に形成されるように構成され、
各クッション体は、それぞれ中央に貫通孔を有し、該貫通孔はクッション体外部から通じる開口部を備えることにより、枕部側地の貫通孔を避けた形状をなしている
ことを特徴とする枕部付き抱き枕。
【請求項２】
複数のクッション体のうち少なくとも１つは、他のクッション体と材質が異なることを特徴とする請求項１に記載の枕部付き抱き枕。
【発明の詳細な説明】
【技術分野】
【０００１】
本発明は、抱き枕に関し、特に身体の頭部を載置するための枕部を備えた枕部付き抱き枕に関する。
【背景技術】
【０００２】
従来より、就寝時に、掛け布団や毛布を丸め、これに抱きつくようにして寝ると安眠が得られるという人があり、そのために抱き枕が提案され、使用されている。下記特許文献１〜３に示される抱き枕は、その改良型であり、抱き枕本体に複数のクッション体を出し入れ可能に内蔵させたものであり、クッション体を入れ替えることにより、使用者の要望に応じた抱き心地感が得られる形態に変形して使用できるようにしたものである。また、下記特許文献４及び５には、身体の頭部を載置するための枕部を備えた抱き枕が開示されている。
【先行技術文献】
【特許文献】
【０００３】
【特許文献１】特開２００８−７３２８１号公報
【特許文献２】特開２００８−１８８１５７号公報
【特許文献３】特開２００９−１１７９５号公報
【特許文献４】実用新案登録第３０３７４９５号公報
【特許文献５】特開２００５−１８５７３９号公報
【発明の概要】
【発明が解決しようとする課題】
【０００４】
しかしながら、上記のように抱き枕本体に対して種々の改良がなされているが、枕部に対しての改良が進んでいないのが現状である。快適な安眠が得られるために、枕の高さや硬さが重要視されていることは詳述するまでもない。また、枕部を備えた抱き枕を使用している場合は横臥状態にあることが多く、そのため身体の耳を枕部に押し付けて寝ることになるので、その姿勢を長く続けることに不快を覚えると、短時間で寝返りを打ってしまうことになり、結局、寝苦しいということになる。
【０００５】
そこで、本発明者は、鋭意研究を重ね、枕部の高さ及び硬さが調節でき、かつ、快適な睡眠が得られる枕部付き抱き枕を開発した。
【課題を解決するための手段】
【０００６】
本発明に係る枕部付き抱き枕は、腕と足とを絡ませて抱きつくための抱き枕本体と、該抱き枕本体に連設された頭部を載置するための枕部とから構成され、該枕部は、枕部側地と、該枕部側地に内包される中材とからなり、該枕部側地は、中材の出し入れが可能な開閉部が設けられており、中材は、複数のクッション体を積み重ねて構成されていることを特徴とするものである。このように構成したことにより、本発明に係る枕部付き抱き枕は、枕部に内包される中材が複数のクッション体より構成され、枕部側地が中材の出し入れを可能としているため、クッション体を出し入れすることが可能となる。
【０００７】
また、上記の構成における枕部側地は、枕部を厚み方向に貫通する貫通孔が枕部の中央部に形成されるように構成され、クッション体は、枕部側地の貫通孔を避けた形状をなすように構成してもよい。このように構成すれば、該貫通孔に耳をあてがうように横臥すれば、耳を枕部に押し付けることがなくなる。
【０００８】
さらに、上記の構成における複数のクッション体のうち少なくとも１つは、他のクッション体と材質が異なる構成としてもよい。
【発明の効果】
【０００９】
上記のように本発明に係る枕部付き抱き枕は、枕部に内包されるクッション体が出し入れ可能であるため、枕部の高さを調整することが可能となる。また、枕部中央部の貫通孔に耳をあてがうように横臥すれば、耳を枕部に押し付けることがなくなり、耳が横圧されることによる不快さが解消できて安眠が得られる。さらに、硬さの異なる材質のクッション体を複数内包しておけば、好みの硬さに応じたクッション体を最上部に積み重ねることにより好みに応じた枕部を構成することができる。
【図面の簡単な説明】
【００１０】
【図１】本発明の実施例に係る枕部付き抱き枕の斜視図である。
【図２】本発明の実施例に係る枕部付き抱き枕の枕部の中央縦断面図である。
【図３】本発明の実施例に係る枕部付き抱き枕の枕部に内包されるクッション体の斜視図である。
【発明を実施するための形態】
【００１１】
以下、本発明に係る枕部付き抱き枕について、添付の図面に基づき詳細に説明する。
【実施例】
【００１２】
図１〜図３において、Ａは本実施例に係る枕部付き抱き枕を示し、該枕部付き抱き枕Ａは、抱き枕本体１０と、枕部２０とから構成される。抱き枕本体１０は、腕と足とを絡ませて抱きつきやすくするため、空豆の鞘形状をなす抱き枕本体側地１１とその内部に内包されたクッション性のある中材１２とから構成される。
【００１３】
枕部２０は、身体の頭部を載置するものであって、抱き枕本体側地１１と区画壁２１を介して連設された枕部側地３０と、その内部に内包される中材４０とから構成される。
【００１４】
該枕部側地３０は、その周面３１を構成するシート部と上下面３２、３３を構成するシート部と中央を枕部の厚み方向に貫通する貫通孔３４を形成するシート部とから構成され。中材４０を収納したときに、中央が貫通するドーナツ状をなすように構成されている。また、上面３２の周縁には、中材４０の出し入れが可能なようにライドファスナーにより開閉自在とした開閉部３５が設けられている。
【００１５】
中材４０は、３箇のクッション体４１、４２、４３とから構成され、各クッション体は、図２に示すように、枕部側地３０内に積み重ねて収納される。各クッション体４１、４２、４３は、図３に示すように、それぞれ中央に貫通孔４１ａ、４２ａ、４３ａを有し、該貫通孔４１ａ、４２ａ、４３ａはクッション体外部から通じる開口部４１ｂ、４２ｂ、４３ｂを備えた馬蹄形の形状をなしている。そして、枕部側地３０に各クッション体を収納する際には、枕部側地３０の貫通孔３４が各クッション体の開口部４１ｂ、４２ｂ、４３ｂに挿入されるように貫通孔３４に開口部４１ｂ、４２ｂ、４３ｂを押し込んで、貫通孔３４が各クッション体の貫通孔４１ａ、４２ａ、４３ａに収まるように、各クッション体は枕部側地３０の貫通孔３４を避けた形状に形成されている。
【００１６】
前記各クッション体４１、４２、４３は、それぞれクッション体側地４１ｃ、４２ｃ、４３ｃとその内包材４１ｄ、４２ｄ、４３ｄとから構成され、前述した馬蹄状の形状をなすように構成されている。クッション体４１を構成するクッション体側地４１ｃに収納される内包材４１ｄは粒綿であり、クッション体４１がソフトな感触を持つように構成されている。クッション体４２を構成するクッション体側地４２ｃに収納される内包材４２ｄはやや硬質のスポンジ体であり、その厚みは、クッション体４１とほぼ同一にしている。クッション体４３を構成するクッション体側地４３ｃに収納される内包材４３ｄはやや硬質のスポンジ体であり、その厚みは、クッション体４２を構成する内包材４２ｄの２倍に設計されている。
【００１７】
次に上記枕部付き抱き枕Ａの枕部２０の形成方法について詳述する。枕部側地３０の開閉部３５を開放して、枕部側地３０の内部に積層されるように中材４０、すなわちクッション体４１、４２、４３を押し入れる。その際、枕部側地の貫通孔３４に各クッション体の開口部４１ｂ、４２ｂ、４３ｂを押し込んで、各クッション体の貫通孔４１ａ、４２ａ、４３ａに枕部側地の貫通孔３４が収まるように構成して、枕部２０がドーナツ状をなすようにする。そして、試験的に枕部付き抱き枕Ａを横に倒し、その抱き枕本体１０に横臥状態で抱きつくと共に枕部２０に身体の頭部を載置する。その結果、枕部２０が高く感ずる場合には、中材４０のうちの厚みの小さい方のクッション体４２を枕部側地３０から抜き取って、前述のように試験使用する。その結果、未だ枕部２０が高く感ずる場合には、中材４０のうちの厚みの高い方のクッション体４３を枕部側地３０から抜き取ると共に厚みの低い方のクッション体４２を枕部側地３０に収納して、前述のように試験使用する。その結果、未だ枕部２０が高く感ずる場合には、中材４０のうちのクッション体４２を枕部側地３０から抜き取り、すなわち、厚みの低い方のクッション体４２及び厚みの高い方のクッション体４３の両方を抜き取って、前述のように試験使用する。このようにして枕部２０の高さを調整する。また、クッション体４１を最上層に積み重ねた場合には、クッション体４１の内包材４１ｄが粒綿よりなるためソフト感がある。しかし、少し硬めの方が寝やすいということであれば、前記クッション体４１とスポンジ体を内包材とするクッション体４２とを入れ替える。
【００１８】
以上のように、本実施例に係る枕部付き抱き枕Ａは、枕部２０に内包されている中材４０が複数のクッション体４１、４２、４３を積み重ねてなるものであり、その出し入れが自在であるから、クッション体のいずれかを適宜抜き取ることにより高さ調節が可能となる。また、クッション体の内包材４１ｄ、４２ｄ、４３ｄの材質が異なるため、硬さ調節が可能となる。さらに、枕部２０の中央部に貫通孔３４を形成したため、該貫通孔３４に耳をあてがうように横臥すれば、耳を枕部に押し付けることがなくなる。したがって、本実施例に係る枕部付き抱き枕Ａは、これを就寝時に使用すれば、快適な睡眠が得られる。
【符号の説明】
【００１９】
Ａ・・・枕部付き抱き枕
１０・・抱き枕本体                １１・・抱き枕本体側地
１２・・抱き枕本体の中材
２０・・枕部                      ２１・・区画壁
３０・・枕部側地                  ３１・・枕部側地の周面
３２・・枕部側地の上面            ３３・・枕部側地の下面
３４・・枕部側地の貫通孔          ３５・・枕部側地の開閉部
４０・・枕部の中材
４１・・クッション体              ４１ａ・クッション体の貫通孔
４１ｂ・クッション体の開口部      ４１ｃ・クッション体側地
４１ｄ・クッション体の内包材（粒綿）
４２・・クッション体              ４２ａ・クッション体の貫通孔
４２ｂ・クッション体の開口部      ４２ｃ・クッション体側地
４２ｄ・クッション体の内包材（スポンジ体）
４３・・クッション体              ４３ａ・クッション体の貫通孔
４３ｂ・クッション体の開口部      ４３ｃ・クッション体側地
４３ｄ・クッション体の内包材（スポンジ体）
【図１】
0005649859.tif 000002
【図２】
0005649859.tif 000003
【図３】
0005649859.tif 000004